(57)【特許請求の範囲】
【請求項１】
発光領域を複数の分割領域に分割し、前記各分割領域毎に発光素子を駆動する駆動手段と、
前記複数の分割領域に対して共通に設けられた光強度検出手段と、
前記発光素子を前記分割領域毎に駆動したときの分割領域毎の発光強度の基準値が記憶された記憶手段と、
前記分割領域毎に前記発光素子を駆動し、前記光強度検出手段により前記分割領域毎に光強度を検出し、前記分割領域毎の光強度の検出値と前記分割領域毎の光強度の基準値とを比較し、前記比較結果に基づいて、前記発光素子の光強度を前記分割領域毎に制御する第１の制御を行う制御手段と
を備えるようにしたことを特徴とする照明装置。
【請求項２】
前記記憶手段には、前記発光素子を前記発光領域全体で駆動したときの発光領域全体の光強度の基準値が記憶されており、
前記制御手段は、前記全分割領域の発光素子を駆動し、前記光強度検出手段により前記発光領域全体の光強度を検出し、前記発光領域全体の光強度の検出値と前記発光領域全体の光強度の基準値とを比較し、前記比較結果に基づいて、前記発光素子の光強度を制御する第２の制御を行う
ようにしたことを特徴とする請求項１に記載の照明装置。
【請求項３】
前記第１の制御は、所定の周期で行うことを特徴とする請求項１に記載の照明装置。
【請求項４】
前記複数の分割領域と、前記複数の分割領域に対して共通の光強度検出手段とからなる分割領域を１つのユニットとし、前記ユニットを複数組み合わせるようにしたことを特徴とする請求項１に記載の照明装置。
【請求項５】
発光領域を複数の分割領域に分割し、各分割領域毎に発光素子を駆動させ、
前記複数の分割領域に対して共通に設けられた光強度検出手段で光強度を検出し、
前記発光素子を前記分割領域毎に駆動したときの分割領域毎の光強度の基準値を記憶した記憶手段を参照し、前記分割領域毎の光強度の検出値と前記記憶手段に記憶された前記分割領域毎の光強度の基準値とを比較し、前記比較結果に基づいて、前記発光素子の光強度を前記分割領域毎に制御する
ことを特徴とする照明装置の制御方法。
【請求項６】
前記記憶手段には、前記発光素子を前記発光領域全体で駆動したときの発光領域全体の光強度の基準値が記憶されており、
前記全分割領域の発光素子を駆動し、前記光強度検出手段により前記発光領域全体の光強度を検出し、前記発光領域全体の光強度の検出値と前記発光領域全体の光強度の基準値とを比較し、前記比較結果に基づいて、前記発光素子の光強度を制御する
ことを特徴とする請求項５に記載の照明装置の制御方法。
【発明の詳細な説明】
【技術分野】
【０００１】
本発明は、発光素子に発光ダイオード（Light Emitting Diode）を採用した透過型の表示装置用の照明装置及び照明装置の制御方法に関する。
【背景技術】
【０００２】
液晶ディスプレイのような透過型の表示装置用の照明装置の光源は、冷陰極管が主流であるが、広色再現、環境配慮（水銀レス）の観点から発光ダイオード（Light Emitting Diode、以下ＬＥＤ）が冷陰極管に変わる光源として有望視されている。特に液晶ディスプレイでは、赤色ＬＥＤ、緑色ＬＥＤ、青色ＬＥＤを照明装置の光源に使用すると、色再現域が拡大することから盛んに検討されている。
【０００３】
現状のＬＥＤは、一個あたりの発光強度が冷陰極管に比べて小さいため、１０型以上の液晶ディスプレイで２００ｃｄ／ｍ２以上の輝度を得るためには複数のＬＥＤを照明装置内に配置する必要がある。またＬＥＤは図１１に示すように接合部温度に対する発光強度が各色で異なる特性を有している。一般に赤色ＬＥＤと緑、青色ＬＥＤで構造が異なるため、接合部温度の上昇に伴う発光強度の低下は、赤色ＬＥＤの方が緑、青色ＬＥＤに比べて大きい。さらに連続点灯による発光強度の低下は、図１２に示すように接合部温度が高い程、加速される。
【０００４】
ここで照明装置内のＬＥＤの接合部温度について考えてみる。通常、液晶ディスプレイは、水平面に対して垂直方向に設置される。このときＬＥＤから発生した熱により暖められた空気は比重が軽くなり上昇する。これにより上部のベース基材温度は中央部に比べて高くなり、下部のベース基材温度は中央部に比べて低くなる。このときＬＥＤの接合部温度は、図１３に示すように上部のＬＥＤの接合部温度は中央部に比べて高くなり、下部のＬＥＤの接合部温度は中央部に比べて低くなる。
【０００５】
このことから赤色ＬＥＤ、緑色ＬＥＤ、青色ＬＥＤを、透過型の表示装置用の照明装置に用いる場合、連続点灯において冷陰極管に比べて輝度や色度の変化および、発光面の輝度ムラや色ムラが大きくなることがわかる。前記変化やムラは、表示画像の見え方に大きな影響を与えるため、同じ輝度や白色で長時間、均一な画像表示が求められる業務（例えば、医用分野の診断用途や印刷分野の色仕上り確認用途など）では、透過型の表示装置用の照明装置の光源を冷陰極管からＬＥＤに置き換えるのに課題がある。
【０００６】
そのため特許文献１や特許文献２のように、照明装置内の光源を複数の光源ユニットに分割し、各光源ユニットの発光強度をカラーセンサで検出し、カラーセンサの検出値が同等になるように各光源ユニットの発光強度を調整する技術が提案されている。
【特許文献１】特開２００６−１１９２６８号公報
【特許文献２】特開２００５−２０８４８６号公報
【発明の開示】
【発明が解決しようとする課題】
【０００７】
しかしながら、カラーセンサで正確な発光強度を検出するには、特許文献１のように各光源ユニットとカラーセンサを等距離に配置する必要がある。もしくは特許文献２のように各光源ユニットとカラーセンサ間に同一特性の光伝送手段（例えば、光ファイバー）を設ける必要がある。このためカラーセンサの配置の自由度の低下や光伝送手段を設けることによって構造が複雑化してしまうという問題がある。
【０００８】
本発明は、上述の課題を鑑み、構成を複雑化することなく、発光強度を検出して発光素子の光強度を調整できる照明装置及び照明装置の制御方法を提供することを目的とする。
【課題を解決するための手段】
【０００９】
上述の課題を解決するために、本発明は、発光領域を複数の分割領域に分割し、前記各分割領域毎に発光素子を駆動する駆動手段と、前記複数の分割領域に対して共通に設けられた光強度検出手段と、前記発光素子を前記分割領域毎に駆動したときの分割領域毎の発光強度の基準値が記憶された記憶手段と、前記分割領域毎に前記発光素子を駆動し、前記光強度検出手段により前記分割領域毎に光強度を検出し、前記分割領域毎の光強度の検出値と前記分割領域毎の光強度の基準値とを比較し、前記比較結果に基づいて、前記発光素子の光強度を前記分割領域毎に制御する第１の制御を行う制御手段とを備えるようにしたことを特徴とする。
【００１０】
本発明に係る照明装置では、前記記憶手段には、前記発光素子を前記発光領域全体で駆動したときの発光領域全体の光強度の基準値が記憶されており、前記制御手段は、前記全分割領域の発光素子を駆動し、前記光強度検出手段により前記発光領域全体の光強度を検出し、前記発光領域全体の光強度の検出値と前記発光領域全体の光強度の基準値とを比較し、前記比較結果に基づいて、前記発光素子の光強度を制御する第２の制御を行うようにしたことを特徴とする。
【００１１】
本発明に係る照明装置では、第１の制御は、所定の周期で行うことを特徴とする。
【００１２】
本発明に係る照明装置では、複数の分割領域と、複数の分割領域に対して共通の光強度検出手段とからなる分割領域を１つのユニットとし、ユニットを複数組み合わせるようにしたことを特徴とする。
【００１３】
本発明に係る照明装置の制御方法は、発光領域を複数の分割領域に分割し、各分割領域毎に発光素子を駆動させ、前記複数の分割領域に対して共通に設けられた光強度検出手段で光強度を検出し、前記発光素子を前記分割領域毎に駆動したときの分割領域毎の光強度の基準値を記憶した記憶手段を参照し、前記分割領域毎の光強度の検出値と前記記憶手段に記憶された前記分割領域毎の光強度の基準値とを比較し、前記比較結果に基づいて、前記発光素子の光強度を前記分割領域毎に制御することを特徴とする。
【００１４】
また、本発明に係る照明装置の制御方法では、上述の照明装置の制御方法において、前記記憶手段には、前記発光素子を前記発光領域全体で駆動したときの発光領域全体の光強度の基準値が記憶されており、前記全分割領域の発光素子を駆動し、前記光強度検出手段により前記発光領域全体の光強度を検出し、前記発光領域全体の光強度の検出値と前記発光領域全体の光強度の基準値とを比較し、前記比較結果に基づいて、前記発光素子の光強度を制御することを特徴とする。
【発明の効果】
【００１５】
本発明によれば、発光領域を複数の分割領域に分割し、複数の分割領域に対して共通に光強度検出手段を設けている。そして、分割領域に対して共通の光強度検出手段により光強度を検出し、各分割領域の光強度の検出値と、当該分割領域毎に応じて設定された光強度の基準値とを比較し、比較結果に基づいて、発光素子の光強度を制御している。これにより、１つの光強度検出手段を用いた場合であっても、照明装置の発光面の輝度と色度を均一に制御できる。
【発明を実施するための最良の形態】
【００１６】
以下、本発明の実施の形態について図面を参照しながら説明する。図１は、本発明が適用された照明装置の概要を示すものである。本発明が適用された照明装置は、液晶ディスプレイのような透過型表示装置の光源として用いることができる。
【００１７】
図１に示すように、本発明が適用された照明装置では、ベース基材１１の上面に複数個の発光素子が配設されている。全体の発光領域は、複数の分割領域、例えば４つの分割領域Ａ１〜Ａ４に分割されている。ここでは、分割領域Ａ１〜Ａ４にそれぞれ配列されている複数の発光素子を、それぞれ、発光素子群１２−１〜１２−４として示している。また、全体の発光領域に対して共通に、１つのカラーセンサ１３が設けられている。なお、ここでは、分割領域の分割数を４としているが、これは一例であり、分割領域の分割数は４に限定されるものではない。
【００１８】
図２は、本発明が適用された照明装置の構成の概要を示すものである。図２に示すように、分割領域Ａ１に配設された複数の発光素子群１２−１は、赤色のＬＥＤ群２１Ｒ−１と、緑色のＬＥＤ群２１Ｇ−１と、青色のＬＥＤ群２１Ｂ−１とからなる。駆動回路２２−１は、分割領域Ａ１に配設されている複数の発光素子群１２−１を駆動するもので、図３に示すように、分割領域Ａ１に配設されている赤色のＬＥＤ群２１Ｒ−１を駆動するＬＥＤ駆動回路２３Ｒ−１と、緑色のＬＥＤ群２１Ｇ−１を駆動するＬＥＤ駆動回路２３Ｇ−１と、青色のＬＥＤ群２１Ｂ−１を駆動するＬＥＤ駆動回路２３Ｂ−１とを含んでいる。ＬＥＤ駆動回路２３Ｒ−１、２３Ｇ−１、２３Ｂ−１は、制御部２５からの駆動信号に基づいて、赤色のＬＥＤ群２１Ｒ−１、緑色のＬＥＤ群２１Ｇ−１、青色のＬＥＤ群２１Ｂ−１の発光強度を、それぞれ、制御することができる。
【００１９】
同様に、分割領域Ａ２〜Ａ４にそれぞれ配設された複数の発光素子群１２−２〜１２−４は、赤色のＬＥＤ群２１Ｒ−２〜２１Ｒ−４と、緑色のＬＥＤ群２１Ｇ−２〜２１Ｇ−４と、青色のＬＥＤ群２１Ｂ−２〜２１Ｂ−４とからなる。また、赤色のＬＥＤ群２１Ｒ−２〜２１Ｒ−４、緑色のＬＥＤ群２１Ｇ−２〜２１Ｇ−４、青色のＬＥＤ群２１Ｂ−２〜２１Ｂ−４は、駆動回路２２−２〜２２−４により駆動されており、駆動回路２２−２〜２２−４は、制御部２５からの駆動信号に基づいて、分割領域Ａ２〜Ａ４にそれぞれ配設されている赤色のＬＥＤ群２１Ｒ−２〜２１Ｒ−４、緑色のＬＥＤ群２１Ｇ−２〜２１Ｇ−４、青色のＬＥＤ群２１Ｂ−２〜２１Ｂ−４の発光強度を、それぞれ、制御することができる。なお、発光素子は、駆動回路に対し、その色毎に直列または並列に接続するようにしてもよい。
【００２０】
カラーセンサ１３としては、赤、緑、青のそれぞれの光の帯域透過フィルタを用いた赤、緑、青の輝度センサを有し、発光素子群１２−１〜１２−４からの白色光を赤、緑、青の単色光に分光して、それぞれの色の輝度を検出することができる。カラーセンサ１３の検出信号は、制御部２５に送られている。
【００２１】
記憶部２６には、各分割領域Ａ１〜Ａ４毎に各発光素子群１２−１〜１２−４のみを点灯させたときの基準値Ｒａ１〜Ｒａ４と、全ての分割領域の発光素子群１２−１〜１２−４を全て点灯させたときの基準値Ｒｔとが記憶されている。
【００２２】
制御部２５は、記憶部２６からの各分割領域Ａ１〜Ａ４毎に発光素子群１２−１〜１２−４を点灯させたときの基準値Ｒａ１〜Ｒａ４を用いて、第１の制御により、発光素子群１２−１〜１２−４の発光強度をそれぞれ調整する。また、全ての分割領域の発光素子群１２−１〜１２−４を点灯させたときの基準値Ｒｔを用いて、第２の制御により、発光素子群１２−１〜１２−４の発光強度を調整する。この第１の制御および第２の制御は、予め決められた周期で行ったり、外部から実行の指示が入力された際に行うようにしてもよく、また、フィードバック制御で行うようにしてもよい。以下、第１の制御および第２の制御がフィードバック制御である場合を一例として説明する。
【００２３】
図４は、本発明の実施形態の照明装置において、発光領域全体の基準値及び分割領域毎の基準値を設定、記憶する際の処理を示すフローチャートである。
【００２４】
本発明の実施形態の照明装置では、図４に示すように、例えば、工場内で、輝度分布及び色度分布が二次元色彩輝度で計測される（ステップＳ１）。そして、輝度ムラ及び色度ムラが最小で、輝度、色度が最適値となるように、各分割領域Ａ１〜Ａ４の発光素子群１２−１〜１２−４の発光強度が最適に調整される（ステップＳ２）。各分割領域Ａ１〜Ａ４の発光素子群１２−１〜１２−４の発光強度が最適に調整されたら、各分割領域Ａ１〜Ａ４毎に、それぞれの分割領域の発光素子群１２−１〜１２−４のみが点灯され、そのときの発光強度がカラーセンサ１３で検出される。この検出値が、各分割領域Ａ１〜Ａ４毎に発光素子群を点灯させたときの基準値として、記憶部２６に記憶される（ステップＳ３）。また、全ての分割領域の発光素子群１２−１〜１２−４が同時に点灯され、そのときの発光強度がカラーセンサ１３で検出され、この検出値が、全ての分割領域の発光素子群を点灯させたときの基準値として、記憶部２６に記憶される（ステップＳ４）。
【００２５】
図５は、ステップＳ３の各分割領域Ａ１〜Ａ４毎に発光素子群を点灯させて、各分割領域毎の基準値を求めて記憶するときの処理を示すフローチャートである。
【００２６】
図５において、分割領域ｎが例えば「１」に初期化される（ステップＳ１１）。ｎが「１」の場合、分割領域Ａ１の発光素子群１２−１のみが点灯され（ステップＳ１２）、このときの発光強度がカラーセンサ１３で検出される（ステップＳ１３）。このカラーセンサ１３の検出値が分割領域Ａ１の基準値Ｒａ１として記憶部２６に記憶される（ステップＳ１４）。分割領域ｎが最後の分割領域（例えば「４」）に達したかどうかが判断され（ステップＳ１５）、分割領域ｎが最後の分割領域まで達していなければ、分割領域ｎがインクリメントされ（ステップＳ１６）、ステップＳ１２にリターンされる。
【００２７】
以下、ステップＳ１２〜Ｓ１６の処理を繰り返していくことで、分割領域Ａ１〜Ａ４毎に、発光素子群１２−１〜１２−４のみをそれぞれ点灯させたときの基準値Ｒａ１〜Ｒａ４が求められ、これらの基準値Ｒａ１〜Ｒａ４が記憶部２６に記憶される。
【００２８】
ステップＳ１５で、分割領域ｎが最後の分割領域（例えば「４」）に達したと判断されたら、それで処理が終了される。
【００２９】
図６は、ステップＳ４の全ての分割領域の発光素子群を点灯させたときの基準値を求めて記憶するときの処理を示すものである。
【００３０】
図６において、全ての発光領域の発光素子群１２−１〜１２−４が同時に点灯され（ステップＳ２１）、このときの発光強度がカラーセンサ１３で検出される（ステップＳ２２）。このカラーセンサ１３の検出値が、発光領域全体の基準値Ｒｔとして、記憶部２６に記憶される（ステップＳ２３）。
【００３１】
本発明が適用された照明装置では、照明装置の電源を一旦オフし、再度オンしたときには、上述のようにして求められた各分割領域Ａ１〜Ａ４毎の基準値Ｒａ１〜Ｒａ４を用いて、各分割領域Ａ１〜Ａ４毎に、発光素子群１２−１〜１２−４の発光強度を制御する第１の制御が行われる。また、上述のようにして求められた発光領域全体の基準値Ｒｔを用いて、全領域の発光素子群１２−１〜１２−４の発光強度を制御する第２の制御が行われる。これにより、照明装置の発光面の輝度と色度を、初期調整状態に維持できる。
【００３２】
図７は、第１の制御の処理を示すものである。図７において、分割領域ｎが例えば「１」に初期化される（ステップＳ３１）。ｎが「１」の場合には、分割領域Ａ１の発光素子群１２−１のみが点灯され（ステップＳ３２）、このときの発光強度がカラーセンサ１３で検出され（ステップＳ３３）、このカラーセンサ１３の出力が検出値Ｄａ１とされる（ステップＳ３４）。分割領域Ａ１の基準値Ｒａ１が記憶部２６から読み出され（ステップＳ３５）、この基準値Ｒａ１と検出値Ｄａ１とが比較される（ステップＳ３６）。
【００３３】
検出値Ｄａ１と基準値Ｒａ１との差が誤差値ｅ−１の範囲内かどうかが判断され（ステップＳ３７）、検出値Ｄａ１と基準値Ｒａ１との差が誤差値ｅ−１の範囲内でなければ、検出値Ｄａ１が基準値Ｒａ１より大きいかどうかが判断される（ステップＳ３８）。ステップＳ３８で、検出値Ｄａ１が基準値Ｒａ１より大きければ、分割領域Ａ１の発光素子群１２−１の発光強度を下げて（ステップＳ３９）、ステップＳ３２にリターンされる。ステップＳ３８で、検出値Ｄａ１が基準値Ｒａ１より小さければ、分割領域Ａ１の発光素子群１２−１の発光強度を上げて（ステップＳ４０）、ステップＳ３２にリターンされる。
【００３４】
以上のような処理を繰り返していくことで、検出値Ｄａ１が基準値Ｒａ１に近づいていく。
【００３５】
ステップＳ３７で、検出値Ｄａ１と基準値Ｒａ１との差が誤差値ｅ−１の範囲内になったと判断されたら、分割領域ｎが最後の分割領域（例えば「４」）に達したかどうかが判断される（ステップＳ４１）。分割領域ｎが最後の分割領域に達していなければ、分割領域ｎがインクリメントされ（ステップＳ４２）、ステップＳ３２にリターンされる。
【００３６】
以上の繰り返しにより、各分割領域Ａ１〜Ａ４において、各検出値Ｄａ１〜Ｄａ４がそれぞれ各基準値Ｒａ１〜Ｒａ４になるように、各分割領域Ａ１〜Ａ４毎に、発光強度調整が行われる。ステップＳ４１で、ｎが分割数に達したと判断されたら、それで処理が終了される。
【００３７】
図８は第２の制御を示すものである。図８において、全分割領域の発光素子群１２−１〜１２−４が全て点灯され（ステップＳ５１）、このときの発光強度がカラーセンサ１３で検出され（ステップＳ５２）、全て点灯させたときの検出値Ｄｔとされる（ステップＳ５３）。全分割領域の基準値Ｒｔが記憶部２６から読み出され（ステップＳ５４）、この基準値Ｒｔと検出値Ｄｔとが比較される（ステップＳ５５）。
【００３８】
検出値Ｄｔと基準値Ｒｔとの差が誤差値ｅ−２の範囲内かどうかが判断され（ステップＳ５６）、検出値Ｄｔと基準値Ｒｔとの差が誤差値ｅ−２の範囲内でなければ、検出値Ｄｔが基準値Ｒｔより大きいかどうかが判断される（ステップＳ５７）。ステップＳ５７で、検出値Ｄｔが基準値Ｒｔより大きければ、発光素子群１２−１〜１２−４の発光強度を下げて（ステップＳ５８）、ステップＳ５１にリターンされる。ステップＳ５７で、検出値Ｄｔが基準値Ｒｔより小さければ、発光素子群１２−１〜１２−４の発光強度を上げて（ステップＳ５９）、ステップＳ５１にリターンされる。
【００３９】
以上のような処理を繰り返していくことで、検出値Ｄｔが基準値Ｒｔに近づいていく。ステップＳ５６で、検出値Ｄｔと基準値Ｒｔとの差が誤差値ｅ−２の範囲内になったと判断されたら、それで、処理が終了される。
【００４０】
以上説明したように、本発明が適用された照明装置では、分割領域Ａ１〜Ａ４の中で選択した１分割領域のみを点灯させ、カラーセンサ１３で各分割領域Ａ１〜Ａ４の発光強度を検出し、このときの検出値と基準値Ｒａ１〜Ｒａ４とを比較し、検出値が基準値Ｒａ１〜Ｒａ４に一致するように、各分割領域Ａ１〜Ａ４の中の発光素子群１２−１〜１２−４の投入電力を増減して、第１の制御が行われる。また、分割領域Ａ１〜Ａ４の発光素子群１２−１〜１２−４を同時に点灯させ、カラーセンサ１３で全分割領域の発光強度を検出し、このときの検出値と基準値Ｒｔとを比較し、検出値が基準値Ｒｔに一致するように、全ての分割領域Ａ１〜Ａ４の中の発光素子群１２−１〜１２−４の投入電力を増減して、第２の制御が行われる。
【００４１】
同じ輝度や白色で長時間、均一な画像表示が求められる業務（例えば、医用分野の診断用途や印刷分野の色仕上り確認用途など）などでは、液晶ディスプレイの表示品位の定期確認または、校正を、第１の制御で行い、通常使用時は第２の制御を行うことで、液晶ディスプレイを初期と同じ状態で長期使用することができる。
【００４２】
なお、第１の制御および第２の制御がフィードバック制御である場合、第１の制御と第２の制御は、図９に示すように、交互に行うことが考えられる。
【００４３】
また、第１の制御については、複数に分割された分割領域Ａ１〜Ａ４毎に分割領域の一つを点灯させ、その点灯させた分割領域における発光強度を調整し、同様な発光強度の発光調整をそれぞれの分割領域において行うので、調整時間が長くなると共に、調整中は表示輝度が部分的に暗くなる。このため、第１の制御は、以下のように行うことが考えられる。
【００４４】
（１）ユーザの指示に従って、第１の制御を行う。
（２）照明装置に設けられた時計機能を利用して、ユーザが利用しない期間に、第１の制御を実施する。
【００４５】
具体的には、ユーザからの指示に従って第１の制御を行う場合には、ユーザが調整用ボタンを押した時に、第１の制御による発光強度の調整を行うようにする。
【００４６】
また、照明装置に設けられた時計機能を利用して、ユーザが利用しない期間に実施する場合、ユーザが利用しない期間については、表示装置の電源のオン／オフを自動管理するスケジュール機能が搭載されているので、このスケジュール機能を利用し、表示装置のオフ期間において実施するようにスケジュールを組みこんでおく。
【００４７】
また、点灯時間の累計時間に応じて第１の制御による発光強度の調整を行うようにしてもよい。これは、照明装置が実際に点灯した累計時間をカウントする第１のカウンタと、パワーセーブ時間（ＳＵＳＰＥＮＤ時間）の累計をカウントする第２のカウンタが設けられているので、そのうち、照明装置が実際に点灯した累計時間が予め決められた基準時間に到達した場合に、第１の制御による発光強度の調整を行うものである。
【００４８】
また、上述の実施形態では、１つの発光領域を例えば４個の分割領域Ａ１〜Ａ４に分割し、１つの発光領域全体に対して、１つのカラーセンサ１３を設けているが、図１０に示すように、この複数の分割領域Ａ１〜Ａ４と１つのカラーセンサ１３とからなる分割領域を１つのユニットとし、このユニットを複数組み合わせて、全体の発光領域とするようにしてもよい。すなわち、図１０では、複数の分割領域Ａ１−１〜Ａ４−１、Ａ１−２〜Ａ４−２、Ａ１−３〜Ａ４−３、Ａ１−４〜Ａ４−４をそれぞれブロックＢ１、Ｂ２、Ｂ３、Ｂ４とし、これらのブロックＢ１〜Ｂ４を組み合わせて、１つの発光領域としている。
【００４９】
本発明は、上述した実施形態に限定されるものではなく、この発明の要旨を逸脱しない範囲内で様々な変形や応用が可能である。
【図面の簡単な説明】
【００５０】
【図１】本発明の実施形態の照明装置の概要を示す説明図である。
【図２】本発明の実施形態の照明装置の構成を示すブロック図である。
【図３】本発明の実施形態の照明装置の駆動回路の構成を示すブロック図である。
【図４】本発明の実施形態の照明装置の説明に用いるフローチャートである。
【図５】本発明の実施形態の照明装置の説明に用いるフローチャートである。
【図６】本発明の実施形態の照明装置の説明に用いるフローチャートである。
【図７】本発明の実施形態の照明装置の説明に用いるフローチャートである。
【図８】本発明の実施形態の照明装置の説明に用いるフローチャートである。
【図９】本発明の実施形態の照明装置の説明に用いるタイミング図である。
【図１０】本発明の他の実施形態の説明図である。
【図１１】従来の照明装置の説明に用いるグラフである。
【図１２】従来の照明装置の説明に用いるグラフである。
【図１３】従来の照明装置の説明に用いるグラフである。
【符号の説明】
【００５１】
１１…ベース基材、
１２−１〜１２−４…発光素子群、
１３…カラーセンサ、
２１Ｒ…赤色のＬＥＤ群、
２１Ｇ…緑色のＬＥＤ群、
２１Ｂ…青色のＬＥＤ群、
２２−１〜２２−４…駆動回路、
２３Ｒ…赤色のＬＥＤ駆動回路、
２３Ｇ…緑色のＬＥＤ駆動回路、
２３Ｂ…青色のＬＥＤ駆動回路、
２５…制御部、
２６…記憶部、
Ａ１〜Ａ４…分割領域
【図１】
0004736098.tif 000002
【図２】
0004736098.tif 000003
【図３】
0004736098.tif 000004
【図４】
0004736098.tif 000005
【図５】
0004736098.tif 000006
【図６】
0004736098.tif 000007
【図７】
0004736098.tif 000008
【図８】
0004736098.tif 000009
【図９】
0004736098.tif 000010
【図１０】
0004736098.tif 000011
【図１１】
0004736098.tif 000012
【図１２】
0004736098.tif 000013
【図１３】
0004736098.tif 000014